(57)【要約】【課題】  コンセントの位置の変更が簡便かつ容易に行える屋内のコンセント装置を得る。【解決手段】部屋を仕切る壁（１）内に電気コード（１０）が巻き取られるコードリール（３）を設け、前記コードリール（３）に巻かれた電気コード（１０）の先端部を前記壁（１）から露出させるとともに、該露出した先端部にコンセント（１１）を設ける。また、前記コードリール（３）を電気コード（１０）の巻き取り方向に回転させるバネ（６）を設ける。また、前記コンセント（１１）を係脱可能に保持するホルダー（１５）を設け、該ホルダー（１５）を部屋を仕切る壁（１）の外面に着脱可能に設ける。【選択図】        図１
2007227195.tif 000002
【特許請求の範囲】
【請求項１】
部屋を仕切る壁（１）内に電気コード（１０）が巻き取られるコードリール（３）を設け、前記コードリール（３）に巻かれた電気コード（１０）の先端部を前記壁（１）から露出させるとともに、該露出した先端部にコンセント（１１）を設けたことを特徴とする屋内のコンセント装置。
【請求項２】
コードリール（３）を電気コード（１０）の巻き取り方向に回転させるバネ（６）を設けたことを特徴とする請求項１記載の屋内のコンセント装置。
【請求項３】
コンセント（１１）を係脱可能に保持するホルダー（１５）を設け、該ホルダー（１５）を部屋を仕切る壁（１）の外面に着脱可能に設けたことを特徴とする請求項１又は２記載の屋内のコンセント装置。
【発明の詳細な説明】
【技術分野】
【０００１】
本発明は、部屋に配線されたコンセントが、家具、机等の設置によって使用できなくなったり、あるいはコンセントに接続される各電気製品の接続コードが部屋内で散在するのを防止する屋内のコンセント装置に関するものである。
【背景技術】
【０００２】
一般に、部屋の壁面に配線されるコンセントは、壁面の適宜箇所に複数設けておき、電話器、テレビ等、電気製品の設置位置が変更された際には、これらを最寄りのコンセントを選択して使用するようにしている。しかしながら、前記各コンセントは壁面に固定されているため、かならずしも最適な位置とはならず、各電気製品の接続コードが部屋内で散在することになる。
【０００３】
特に、前記最寄りのコンセントが家具、机等によって隠れている際には、延長コードを使用して空いているコンセントを使用することになり、部屋内での前記接続コードの散在が顕著となる。
【０００４】
そこで、居室の巾木、廻り縁、扉枠、壁の接続部材などの細長部材を配線スペースとしてのユニットボックスに形成し、該ユニットボックス内に所定単位長さで接続した強電と弱電のそれぞれのケーブルを配線し、ユニットボックスは相互に入れ換え可能な配線ユニットとアウトレットユニットと、配線スペースボックスとで構成し、前記配線ユニットとアウトレットユニットとを入れ換えることによって、コンセントの位置が変更できるようにしたものがあった。
【０００５】
しかしながら、前記後者のものは、配線ユニット、アウトレットユニット、及び配線スペースボックスが規定の長さとなっているため、配線ユニットとアウトレットユニットとを入れ換えたとしても、コンセントの位置を壁に沿って無段階に変更することができず、各電気製品の接続コードの部屋内での延出長さを短縮させるには限界がある。さらに、前記コンセントは壁から離すことができないため、パソコンのように、机の廻りに多数の接続コードを必要とする場合には、各接続コードが部屋内で散在することになる。さらに、前記配線ユニットとアウトレットユニットとの入れ換えは手数及び熟練を要することになる。
【特許文献１】特開平９−２４７８２８号公報
【発明の開示】
【発明が解決しようとする課題】
【０００６】
本発明は、部屋に配線されたコンセントの位置の変更が簡便かつ容易に行える新規な屋内のコンセント装置を得ることを目的とする。
【課題を解決するための手段】
【０００７】
本発明は、前記目的を達成するために以下の如く構成したものである。即ち、請求項１に係る発明は、部屋を仕切る壁内に電気コードが巻き取られるコードリールを設け、前記コードリールに巻かれた電気コードの先端部を前記壁から露出させるとともに、該露出した先端部にコンセントを設ける構成にしたものである。
請求項２に係る発明は、前記コードリールを電気コードの巻き取り方向に回転させるバネを設けたものである。
請求項３に係る発明は、前記コンセントを係脱可能に保持するホルダーを設け、該ホルダーを部屋を仕切る壁の外面に着脱可能に設けるようにしたものである。
【発明の効果】
【０００８】
本発明の請求項１に係る発明は、コンセントを引っ張ると、電気コードがコードリールから巻き出され、該コンセントを壁面あるいは部屋内の任意の位置に移動させることができる。このため、前記コンセントを部屋内に配置した電気製品に近づけることができ、電気製品の接続コードが部屋内で散在しなくなる。
請求項２に係る発明は、コンセントを放すと、コードリールがバネの反力で巻き取り方向に回転され、引っ張り出された電気コードが巻き取られて前記コンセントが初期位置に復帰することになる。このため、不使用時に引っ張り出された電気コードが部屋内に存在しなくなる。
請求項３に係る発明は、ホルダーを電気製品の近傍に位置する壁に取り付け、該ホルダーに、前記コードリールから引き出したコンセントを係止すると、コンセントの位置が前記ホルダーの位置に変更され、該コンセントを電気製品の近い位置に位置決めすることができる。
【発明を実施するための最良の形態】
【０００９】
以下本発明の実施例を図面に基いて説明する。図面において、図１は本発明の実施例を示す側面断面図、図２は図１の正面図、図３は他の実施例を示す正面図である。
【００１０】
図１、図２において、１は部屋を仕切る壁であり、柱の左右両側に張った左右の壁板１ａ，１ｂにより形成され、内部は空隙２となっている。前記空隙２にコードリール３を配置して壁板、例えば右部の壁板１ｂに固定する。
【００１１】
前記コードリール３は、カップ形のケース４内に電気コード１０を巻き取るリール５、及び該リール５を電気コード１０の巻き取り方向に回転させる渦巻き形のバネ６を左右方向に並列に収容し、リール５は軸心部のボス５ａを筒状にして前記ケース４の支持軸４ａに回転自在に嵌合させ、バネ６はその外周側の端部を前記ケース４に係止し、その内周の端部を前記ボス５ａに係止する。
【００１２】
前記リール５に巻かれる電気コード１０は、その内周側の端部を前記ボス５ａから支持軸４ａ内に通し、該支持軸４ａ内に嵌合させた回転接続器７の回転側端子７ａに接続する。前記回転接続器７の固定側端子７ｂは屋内配線される電源側のコード８に接続する。また、前記電気コード１０の先端部は、壁１に取り付けた固定コンセント１２を介して部屋内に露出させ、該電気コード１０の先端部に可動コンセント（コンセント）１１を接続する。該可動コンセント１１は、図１、図２に示すように、２個の差し込み口１１ａ，１１ａを有し、該差し込み口１１ａ，１１ａに電話器、テレビ等、電気製品の接続コード１３の差し込みプラグ１３ａが差し込まれる。なお、前記差し込み口１１ａは１個、あるいは３個以上であってもよい。
【００１３】
前記固定コンセント１２は、前記壁１の空隙２に収容して壁板１ｂに固定し、下部側に壁板１ｂの表側（部屋側）に開口する１個の差し込み口１２ａを有し、該差し込み口１１ａ，１１ａに前述と同様に、電気製品の接続コード１３の差し込みプラグ１３ａが差し込まれる。前記固定コンセント１２の上部側に上向き円弧状のガイド孔１２ｂを形成し、該ガイド孔１２ｂに前述した電気コード１０の先端側１０ａを通す。
【００１４】
１５は前記可動コンセント１１を保持するホルダーである。該ホルダー１５は上面及び正面が開口する箱形にするとともに、正面側の縁部に係止用のフランジ１５ａを形成する。これにより、前記可動コンセント１１をホルダー１５にその上部側から差し込むと、前記フランジ１５ａが可動コンセント１１の正面側の縁部に係合し、該可動コンセント１１を保持することになる。
【００１５】
前記ホルダー１５は、その裏面側にビス孔（図示省略）が形成され、図１、図２に示すように、前記ビス孔を介してホルダー１５を固定コンセント１２の上部側に位置する壁板１ｂにビス止め固定する。
【００１６】
前記可動コンセント１１を固定コンセント１２から側方に離れた位置の壁板１ｂに取り付けたい場合には、図３に示すように、前記ホルダー１５を固定コンセント１２から側方に離れた位置の壁板１ｂにビス止め固定し、前記電気コード１０を引き出して可動コンセント１１をホルダー１５位置に移動させ、該可動コンセント１１を前述と同様の要領でホルダー１５に嵌合させて係止する。この場合、固定コンセント１２とホルダー１５間に延びた電気コード１０の中間部１０ｂはコードカバー１６により包囲するとよい。
【００１７】
前記実施例によれば、可動コンセント１１を引っ張ると、電気コード１０を介してコードリール３が巻き出し方向に回転され、該電気コード１０の先端側１０ａがガイド孔１２ｂを経て部屋内に巻き出される。このため、前記可動コンセント１１を電話器、テレビ、パソコン等、電気製品の近傍に容易に配置することができ、各電気製品から可動コンセント１１に至る接続コード１３の長さが短くなり、該接続コード１３が部屋内で散在しなくなる。
【００１８】
また、引き出した可動コンセント１１を放すと、コードリール３がバネ６の反力で巻き取り方向に回転されて引っ張り出された電気コード１０が巻き取られ、前記可動コンセント１１が初期位置に復帰することになる。このため、前記引っ張り出された電気コード１０が不使用時に屋内で散在しなくなる。
【００１９】
さらに、ホルダー１５によって可動コンセント１１を壁１の任意の位置に移動させることができるので、家具類の配置をコンセントの位置に左右されることなく、使用に適した任意の位置に設定することができる。
【図面の簡単な説明】
【００２０】
【図１】本発明の実施例を示す側面断面図である。
【図２】図１の正面図である。
【図３】他の実施例を示す正面図である。
【符号の説明】
【００２１】
１    壁
１ａ，１ｂ  壁板
２    空隙
３    コードリール
４    ケース
４ａ  支持軸
５    リール
５ａ  ボス
６    バネ
７    回転接続器
７ａ  回転側端子
７ｂ  固定側端子
８    電源側のコード
１０    電気コード
１０ａ  電気コードの先端側
１０ｂ  電気コードの中間部
１１    可動コンセント（コンセント）
１１ａ  差し込み口
１２    固定コンセント
１２ａ  差し込み口
１２ｂ  ガイド孔
１３    電気製品の接続コード
１３ａ  差し込みプラグ
１５    ホルダー
１５ａ  フランジ
１６    コードカバー
【図１】
2007227195.tif 000003
【図２】
2007227195.tif 000004
【図３】
2007227195.tif 000005